(57)【要約】      （修正有）【課題】誰でも簡単に食品を等分数に切ることを可能とする等分切り分け製品及び等分切り分け表示製品を提供する。【解決手段】外接円の中心と半径が同じである、正五角形と正六角形と正七角形のそれぞれの頂点の一つを重ね合わせた外縁形状により、切り位置を分かりやすくする。ケーキ等の切り分けたい製品を置く位置がわかりやすいように、同心円を入れる。最初に共通頂点１と中心６との間を切る。次に中心６を軸にケーキナイフを回動させて、正七角形、正六角形、正五角形の頂点２〜５に合わせて動かしながら、切り分けたい１切れの大きさなどの体裁を確認する。等分数を決めた後、中心６と等分数に該当する各頂点の間を切っていく。また、製品自体に複数の正多角形を表示して、等分数に分けて便利に使えるようにしてもよい。【選択図】図２
0003193908.tif 000002
【実用新案登録請求の範囲】
【請求項１】
外接円の中心と半径が同じである、複数の正多角形の頂点の１つを合わせた外縁形状にした皿またはシート。
【請求項２】
外接円の中心と半径が同じである、正五角形と正六角形と正七角形の頂点の１つを合わせた外縁形状に同心円を記載した皿またはシート。
【請求項３】
外接円の中心と半径が同じである、複数の正多角形の頂点の１つを合わせた記載に、中心から正多角形の各頂点を結んだ線を記載した皿またはシート。
【請求項４】
外接円の中心と半径が同じである、正五角形と正六角形と正七角形の頂点の１つを合わせた記載に、中心から正多角形の各頂点を結んだ線を記載した皿またはシート。
【請求項５】
外接円の中心と半径が同じである、複数の正多角形の頂点の１つを合わせた外縁形状を、上面に記載したケーキ台。
【請求項６】
外接円の中心と半径が同じである、正五角形と正六角形と正七角形の頂点の１つを合わせた外縁形状を、上面に記載したケーキ台。
【請求項７】
外接円の中心と半径が同じである、複数の正多角形の頂点の１つを合わせた記載に、同心円と中心から正多角形の各頂点を結んだ線を記載した、まな板。
【請求項８】
外接円の中心は同じで半径が異なる、正五角形と正六角形と正七角形を、１つの頂点が一直線上に並ぶように回転角を合わせて、中心から正多角形の各頂点を結んだ線とともに記載し、切り抜き構造とした調理器用マット。
【請求項９】
上面部は透明な素材を用い、外接円の中心と半径が同じである、複数の正多角形の頂点の１つを合わせた外縁形状と同心円を記載し、側面部は上面に記載の正多角形の各頂点の延長線上に係る部分を開放した、等分切り分け器具。
【請求項１０】
上面部は透明な素材を用い、外接円の中心と半径が同じである、複数の正多角形の頂点の１つを合わせた形状と中心から正多角形の各頂点を結んだ線を記載し、側面部は上面に記載の正多角形の各頂点の延長線上に係る部分を開放した、等分切り分け器具。
【請求項１１】
外接円の中心と半径が同じである、複数の正多角形の頂点の１つを合わせて、中心から正多角形の各頂点を結んだ線とともに表示したオブラートの等分シート。
【請求項１２】
外接円の中心と半径が同じである、複数の正多角形の頂点の１つを合わせて、中心から正多角形の各頂点を結んだ線とともに表示した菓子用凝固剤の等分シート。
【請求項１３】
外接円の中心と半径が同じである、複数の正多角形の頂点の１つを合わせて、中心から正多角形の各頂点を結んだ線とともに表示した食品。
【請求項１４】
外接円の中心と半径が同じである、複数の正多角形の頂点の１つを合わせて、中心から正多角形の各頂点を結んだ線とともに表示した固形燃料。
【請求項１５】
外接円の中心と半径が同じである、複数の正多角形の頂点の１つを合わせて、中心から正多角形の各頂点を結んだ線とともに表示した固形調味料。
【請求項１６】
外接円の中心は同じで半径が異なる、複数の正多角形を、１つの頂点が一直線上に並ぶように回転角を合わせて記載し、正多角形の外接円の形状ごとに分離可能としたテーブル天板。
【請求項１７】
異なる正多角形の底面からなる正角柱を内装し、着脱可能とした正角柱のサイコロ。
【考案の詳細な説明】
【技術分野】
【０００１】
本考案は、食品その他の等分を容易とする製品に関するものである。
【背景技術】
【０００２】
等分にする機会が多いのは、ホールケーキを切る場面である。ホールケーキを綺麗に等分に切り分けるのは難しいため、業務用にはケーキ切り分け道具がある。道具をケーキの上に押し付け、その跡に沿って切ることにより等分される（例えば、非特許文献１参照。）。
【０００３】
しかし、この切り分け道具は、ケーキの大きさ（号数）や切り数ごとに作られているので、一つの道具で何等分にも切ることができない。
【０００４】
この改善策として、小型分度器を使った発明がある（例えば、特許文献１参照。）。しかし、等分に切り分ける角度をその都度確認し、設定するのに手間が掛かる。また、金属製ブレードでは、ケーキ上のデコレーションやタルトケーキの果物を綺麗に切るのは難しい。
【０００５】
その他に、事前に等分に切り分ける角度を測り、切る位置をシートや皿に記載しておく考案がある（例えば、特許文献２、特許文献３参照。）。しかし、切る位置がケーキの下に隠れて見えない場合があるだけでなく、切りたい数を１切れの大きさなどの体裁を基に決めたい場合には、1切れの判断が難しい。また、等分数によって切る位置が異なるため、切る前に等分数を決めなければならない。
【０００６】
出願以外では、携帯端末機器のアプリケーションにより、カメラ画像上に切る位置のガイド線を表示させるものがある（例えば、非特許文献２、非特許文献３。）。しかし、画面に表示されたガイド線を動かさずに片手で携帯端末機器を持ち、画面を見ながらもう一方の手でガイド線に合わせてケーキを切るには熟練を要し、簡単に等分できない。
【０００７】
さらに、ケーキの中心にケーキをカットする装置を着設するものがある（例えば、非特許文献４参照。）。しかし、バームクーヘンや円環型のケーキは中心に着設できず、ケーキ上にイチゴなどのデコレーションや膨らみがあると、ナイフガイドが接触して使えない。
【先行技術文献】
【特許文献】
【０００８】
【特許文献１】特開２００５−２９６５９６号公報  （第２−３頁、第１−２図）
【特許文献２】実開平７−３５４７号公報  （第２−３頁。第１図）
【特許文献３】登録実用新案３１７３６２５号公報  （第２−４頁、第１図）
【非特許文献】
【０００９】
【非特許文献１】「A型トルテカッター」  ［平成２５年８月１９日検索］  インターネット＜URL：http://www.kitchen-koubou.com/ET129-11.htm＞
【非特許文献２】「CakeCutter」  ［平成２５年８月１９日検索］  インターネット＜URL：https://play.google.com/store/apps/details?id=org.ykm.cakecut&hl=ja＞
【非特許文献３】「CakeCut」  ［平成２５年８月１９日検索］  インターネット＜URL：http://www.kayac.com/service/smartphone/610＞
【非特許文献４】「Klipy Cake Divider」  ［平成２５年８月１９日検索］  インターネット＜URL：http://news.livedoor.com/article/detail/7609176/＞
【考案の概要】
【考案が解決しようとする課題】
【００１０】
解決しようとする問題点は、切り分けたい大きさを確認し、切る数を決めてから、誰でも簡単にホールケーキなどの食品を等分に切れない点である。
【課題を解決するための手段】
【００１１】
本考案は、複数の正多角形を用いて、正多角形の性質により、食品を切りながら等分に切る数を決められることを可能にしたことを最も主要な特徴とする。
【考案の効果】
【００１２】
本考案は、誰でも簡単に切り分けたい大きさなどの体裁を確認しながら、ホールケーキやキッシュなどの円形、メロンや西瓜などの球形の食品を等分に切ることができる。また、製品に複数の正多角形を表示することにより、製品全体の総量を基に必要な量を計量せずに分けたりすることができる。
【図面の簡単な説明】
【００１３】
【図１】図１は同一外接円に内接する正多角形の１つの頂点を合わせた状態を示した説明図である。
【図２】図２は皿の実施方法を示した正面図である。（実施例１）
【図３】図３は皿の実施方法を示した正面図である。（実施例２）
【図４】図４は皿の実施方法を示した正面図である。（実施例３）
【図５】図５は皿の実施方法を示した正面図である。（実施例４）
【図６】図６は切り分け器具の平面図である。（実施例５）
【図７】図７は切り分け器具の正面図である。（実施例５）
【図８】図８は切り分け器具の側面図である。（実施例５）
【図９】図９は等分シートとしての実施と、直接表示の実施を示した正面図である。（実施例６、実施例７）
【図１０】図１０は等分の席分けテーブルの天板全体を示した正面図である。（実施例８）
【図１１】図１１は等分の席分けテーブルの天板を分解した状態を示した説明図である。（実施例８）
【図１２】図１２は正角柱のサイコロの正面図である。（実施例９）
【考案を実施するための形態】
【００１４】
等分に切る目的を、複数の正多角形を組み合わせて実現した。図１は、同一外接円とともに、正五角形と正六角形と正七角形の１つの頂点を合わせた状態を示した説明図である。
【実施例１】
【００１５】
ホールケーキを等分する場合に、偶数の２等分と４等分は難しくない。奇数に等分する場合が難しいので、切る位置を示すことにより、誰でも容易に等分できるようにした。図２は、本考案の１実施例で、外接円の半径が同じ、正五角形と正六角形と正七角形の１つの頂点を合わせた外縁形状により、切り分けたい大きさの等分に切る位置を決められる皿である。ケーキを置く位置がわかりやすくなるように、同心円を複数入れる。また、中心６に凹窩を設け、凹窩に串などを挿した状態で上からケーキを置くと、ケーキの中心が明確になる。
【００１６】
図２の共通頂点１と中心６との間を最初に切る。次に中心６を軸にケーキナイフを回動して、正七角形、正六角形、正五角形の頂点に合わせながら、最初の切り位置から切り分ける１切れの大きさなどの体裁を確認する。等分数を決めた後、中心６と等分数に該当する各頂点の間を切っていく。２等分は１８０度、４等分は９０度で簡単に切れる。３等分は正六角形の頂点を一つ置きに３つ選び、中心から切れば可能である。５等分、６等分、７等分は正五角形、正六角形、正七角形の頂点に合わせて、中心から切れば可能となる。さらに、８等分は４等分をそれぞれ２等分、９等分は３等分をそれぞれ３等分、１０等分は５等分をそれぞれ２等分することで切り分けられる。その結果、１０等分まで容易に切り分けることができる。大きなホールケーキに対応する場合は、皿も大きくして切り分ける数量も増えると考えられるから、正多角形の種類は等分数に合わせて追加変更するとよい。なお、かまぼこ板にしても、外縁形状により正多角形の頂点は隠れないので、同様に切ることができる。
【実施例２】
【００１７】
図３は、実施例１に、正五角形と正六角形と正七角形の線と、その各頂点と中心を結んだ線を加えた皿である。1切れの大きさが、よりわかりやすくなる。等分に切る場合の文字や数字を各頂点近くに記載したり、頂点を色分けしたりして、さらに切る位置をわかりやすくしてもよい。シートやケーキ台の上部として構成することもできる。
【実施例３】
【００１８】
図４は、正五角形と正六角形と正七角形の同一外接円より大きい円形状の皿である。ちらし寿司などの等分の取り分け、料理の人数分の盛り付けの配置も容易になる。まな板にしてもよい。あるいは、大きめのシートにしてテーブル上に置けば、正多角形の頂点に合わせて円卓の席を等間隔に置ける。さらに、正五角形と正六角形と正七角形を記載した部分は、着脱できるようにしてもよい。なお、外縁形状は円形でなく、多角形でもよい。
【実施例４】
【００１９】
図５は、外接円の中心が同じで半径が異なる、正五角形と正六角形と正七角形を記載した皿である。皿の内側に、正七角形、その内側に正六角形、その内側に正五角形を作る。正五角形、正六角形と正七角形の１つの頂点が、一直線上に並ぶように回転角を合わせる。表面には、同心円とともに中心と正多角形の各頂点を結ぶ線を記載する。実施例１と同様に、最初に延長上頂点７と中心との間を切り、大きさなどの体裁を確認しながら切り分けることができる。また、正七角形、正六角形、正五角形を切り抜きにして、それぞれ別々に着脱できる構造にしてもよい。正五角形の頂点と中心を結んだ線、正六角形の頂点と中心を結んだ線を正七角形まで延長しておけば、別々に取り外した状態でも他の等分数に切り分ける位置がわかる。フェルト素材やシリコン素材などを使い、鍋敷きなどの調理器マットにしてもよい。
【実施例５】
【００２０】
図６は、ケーキなどの食品の上に被せて使う、切り分け器具の平面図である。切り分け器具の上面に、外接円の中心と半径が同じ、正五角形と正六角形と正七角形と同一外接円を記載し、各頂点には頂点に該当する切り分け数表示８を記載する。また、同心円と正五角形と正六角形と正七角形の各頂点と中心を結んだ線をつけ加える。なお、中心部に貫通穴を開け、中心確認串９を挿すと、食品の中心に印をつけられる。
【００２１】
図７は、切り分け器具の正面図、図８は、切り分け器具の側面図である。切り分け器具上部１０は透明にして、被せたものが見えるようにする。切り分け器具の側面部１１は、上面に記載した正五角形と正六角形と正七角形の各頂点を延長した線との交点部分を開けて作る。これにより、ケーキに被せた状態で真上から見ながら、線の下をケーキナイフで切ることができる。切り分け器具の側面部１１を高く作ると、メロンや西瓜なども被せて切ることができる。
【実施例６】
【００２２】
図９は、円形状の食品の上に乗せることにより、等分数に切ることを補助する等分シートである。等分の切り分け線を記載しただけと異なり、外接円の中心と半径が同じ、正五角形、正六角形、正七角形と中心点と頂点を結ぶ線を記載することで、一見して等分ごとの大きさを判断できる。また、同一外接円を入れることにより、等分シートを円形状の食品の真上に合わせやすくできる。等分シートは、製品と一緒に切れるような薄くて柔らかい素材がよい。例えば、等分シートをオブラートで作成し、アイスクリームの上に着接したり、円形状に成形した砂糖の上に着接したりして使用する。または、等分シートを菓子用凝固剤のアガーで作成し、水羊羹の上に乗せる使い方がある。等分シートの素材には、他にゼラチン、寒天等も考えられるが、溶解温度が低い素材は等分シートを乗せる食品を選ぶ必要がある。なお、等分シートは、食べられないものでもよい。また、正多角形別に記載する線を色分けしてもよい。
【実施例７】
【００２３】
さらに、製品に図９の記載や切り込みを入れて使う。食品では、饅頭やどら焼き、かまぼこなどに使うことができる。固形燃料の場合は、全体の燃焼時間と等分数を基に必要な燃焼時間分を切り分けて使う。全体が１時間の燃焼時間なら、５等分で１２分間、６等分で１０分間の分量を切り分けられる。固形調味料の場合は、全体の分量と等分数を基に、計量せず必要な量を取り分けて使用できる。製品に直接記載する場合は、図９の同一外接円は省略してもよい。
【実施例８】
【００２４】
図１０は、テーブルの天板の平面図である。中心が同じで半径が異なる正方形、正五角形、正六角形、正七角形の１つの頂点を、一直線上に並ぶように回転角を合わせ記載し、位置合わせ線１２も記載する。そして、正方形の外側からその外接円まで、外接円上の５等分の位置と中心を結ぶ線を記載する。同様にして、正五角形の外側からその外接円まで６等分の位置を記載し、正六角形の外側からその外接円まで７等分の位置を記載し、正七角形の外側からその外接円まで８等分の位置を記載する。さらに、各外接円部分で、分離できる構造とする。中心テーブル（４、５人掛け用）１３の外側に、円環状のテーブルを追加することで、大きさを自在に変えることができる。
【００２５】
図１１は、テーブルの天板を分離した状態である。中心テーブル（４、５人掛け用）１３の外側に、円環状の追加テーブル（５、６人掛け用）１４、追加テーブル（６、７人掛け用）１５、追加テーブル（７、８人掛け用）１６を付けることにより、席数を増やせる。会場の大きさや人数に合わせてテーブルの大きさを変えられる上に、天板に正多角形を記載することにより、簡単に席を等間隔に設置できる。ホテルの宴会場などでレイアウトを変更するのに大変便利であり、テーブルの収納スペースも節約できる。テーブルの天板は、伸縮する降りたたみ式の脚の上に設置するとよい。なお、正多角形の組み合わせは、追加変更してもよい。
【実施例９】
【００２６】
図１２は、正七角柱の正面図である。正七角柱の高さは５〜１０センチメートル程にして、転がしてサイコロとして使う。正七角柱の内側に正六角柱、その内側に正五角柱、その内側に正四角柱を内装し、着脱できる構造にする。側面には数字だけでなく、文字を記載して使う。なお、転がして側面が真上を向かない正角柱は、転がした場合に下の接した側面が選ばれることにする。例えば、５人の中から１人を選ぶときは、正七角柱の内側から正五角柱を取り出し、正五角柱の側面に５人の名前を別々に記載する。机上で転がした場合には、机と接した側面に書かれた名前の者が選ばれたことになる。正四角柱〜正七角柱の組み合わせにより、対象が選択される機会を４〜７等分に変更できるサイコロになる。サイコロは、別の正角柱の組み合わせでもよい。
【産業上の利用可能性】
【００２７】
ケーキやピザ、メロン、西瓜などの食品を等分に切る場合やちらし寿司などを取り分ける場合のほか、円卓の席を等間隔に配置する場合にも利用できる。また、製品に等分数に分けて便利に使える機能を付加できる。
【符号の説明】
【００２８】
１    共通頂点
２    ３等分及び６等分頂点
３    ６等分頂点
４    ５等分頂点
５    ７等分頂点
６    中心
７    延長上頂点
８    頂点に該当する切り分け数表示
９    中心確認串
１０    切り分け器具上部
１１    切り分け器具側面部
１２    位置合わせ線
１３    中心テーブル（４、５人掛け用）
１４    追加テーブル（５、６人掛け用）
１５    追加テーブル（６、７人掛け用）
１６    追加テーブル（７、８人掛け用）
【図１】
0003193908.tif 000003
【図２】
0003193908.tif 000004
【図３】
0003193908.tif 000005
【図４】
0003193908.tif 000006
【図５】
0003193908.tif 000007
【図６】
0003193908.tif 000008
【図７】
0003193908.tif 000009
【図８】
0003193908.tif 000010
【図９】
0003193908.tif 000011
【図１０】
0003193908.tif 000012
【図１１】
0003193908.tif 000013
【図１２】
0003193908.tif 000014
【手続補正書】
【提出日】平成25年12月12日(2013.12.12)
【手続補正１】
【補正対象書類名】実用新案登録請求の範囲
【補正対象項目名】全文
【補正方法】変更
【補正の内容】
【実用新案登録請求の範囲】
【請求項１】
外接円の中心と半径が同じである複数の正多角形におけるそれぞれの頂点の１つを一致させて重ね合わせた外縁形状にしたシート。
【請求項２】
外接円の中心と半径が同じである正五角形と正六角形と正七角形におけるそれぞれの頂点の１つを一致させて重ね合わせた外縁形状に同心円を記載した皿。
【請求項３】
外接円の中心と半径が同じである複数の正多角形におけるそれぞれの頂点の１つを一致させて重ね合わせた外縁形状を記載し、さらに外接円の中心と各正多角形の各頂点とを結んだ線を記載したシート。
【請求項４】
外接円の中心と半径が同じである正五角形と正六角形と正七角形におけるそれぞれの頂点の１つを一致させて重ね合わせた外縁形状を記載し、さらに外接円の中心と各正多角形の各頂点とを結んだ線を記載した皿。
【請求項５】
外接円の中心と半径が同じである複数の正多角形におけるそれぞれの頂点の１つを一致させて重ね合わせた外縁形状を、上面に記載したケーキ台。
【請求項６】
外接円の中心と半径が同じである正五角形と正六角形と正七角形におけるそれぞれの頂点の１つを一致させて重ね合わせた外縁形状を、上面に記載したケーキ台。
【請求項７】
外接円の中心と半径が同じである複数の正多角形におけるそれぞれの頂点の１つを一致させて重ね合わせた外縁形状を記載し、さらに同心円と、正多角形の外接円の中心と各正多角形の各頂点とを結んだ線を記載した、まな板。
【請求項８】
外接円の中心は同じで半径が異なる正五角形と正六角形と正七角形におけるそれぞれの頂点の１つが一直線上に並ぶように回転角を合わせて記載し、さらに外接円の中心と各正多角形の各頂点とを結んだ線を記載し、正多角形の形状ごとに分離可能とした調理器用マット。
【請求項９】
上面部は透明な素材を用い、外接円の中心と半径が同じである複数の正多角形におけるそれぞれの頂点の１つを一致させて重ね合わせた形状と外接円の中心と各正多角形の各頂点とを結んだ線を記載し、側面部は上面に記載した複数の正多角形の外接円の中心と複数の正多角形の各頂点とを結んだ線の延長線上に係る側面部分に縦方向開口を形成した等分切り分け器具。
【請求項１０】
外接円の中心と半径が同じである複数の正多角形におけるそれぞれの頂点の１つを一致させて重ね合わせた外縁形状と、外接円の中心と各正多角形の各頂点とを結んだ線を表示したオブラートの等分シート。
【請求項１１】
外接円の中心と半径が同じである複数の正多角形におけるそれぞれの頂点の１つを一致させて重ね合わせた外縁形状と、外接円の中心と各正多角形の各頂点とを結んだ線を表示した菓子用凝固剤の等分シート。
【請求項１２】
外接円の中心と半径が同じである複数の正多角形におけるそれぞれの頂点の１つを一致させて重ね合わせた外縁形状と、外接円の中心と各正多角形の各頂点とを結んだ線を表示した食品。
【請求項１３】
外接円の中心と半径が同じである複数の正多角形におけるそれぞれの頂点の１つを一致させて重ね合わせた外縁形状と、外接円の中心と各正多角形の各頂点とを結んだ線を表示した固形燃料。
【請求項１４】
外接円の中心と半径が同じである複数の正多角形におけるそれぞれの頂点の１つを一致させて重ね合わせた外縁形状と、外接円の中心と各正多角形の各頂点とを結んだ線を表示した固形調味料。
【請求項１５】
外接円の中心は同じで半径が異なる複数の正多角形におけるそれぞれの頂点の１つが一直線上に並ぶように回転角を合わせて記載し、正多角形の外接円の半径ごとに分離可能としたテーブル天板。
【手続補正２】
【補正対象書類名】明細書
【補正対象項目名】全文
【補正方法】変更
【補正の内容】
【考案の詳細な説明】
【技術分野】
【０００１】
本考案は、食品その他の等分を容易とする製品に関するものである。
【背景技術】
【０００２】
等分にする機会が多いのは、ホールケーキを切る場面である。ホールケーキを綺麗に等分に切り分けるのは難しいため、業務用にはケーキ切り分け道具がある。道具をケーキの上に押し付け、その跡に沿って切ることにより等分される（例えば、非特許文献１参照。）。
【０００３】
しかし、この切り分け道具は、ケーキの大きさ（号数）や切り数ごとに作られているので、一つの道具で何等分にも切ることができない。
【０００４】
この改善策として、小型分度器を使った発明がある（例えば、特許文献１参照。）。しかし、等分に切り分ける角度をその都度確認し、設定するのに手間が掛かる。また、金属製ブレードでは、ケーキ上のデコレーションやタルトケーキの果物を綺麗に切るのは難しい。
【０００５】
その他に、事前に等分に切り分ける角度を測り、切る位置をシートや皿に記載しておく考案がある（例えば、特許文献２、特許文献３参照。）。しかし、切る位置がケーキの下に隠れて見えない場合があるだけでなく、切りたい数を１切れの大きさなどの体裁を基に決めたい場合には、1切れの判断が難しい。また、等分数によって切る位置が異なるため、切る前に等分数を決めなければならない。
【０００６】
出願以外では、携帯端末機器のアプリケーションにより、カメラ画像上に切る位置のガイド線を表示させるものがある（例えば、非特許文献２、非特許文献３。）。しかし、画面に表示されたガイド線を動かさずに片手で携帯端末機器を持ち、画面を見ながらもう一方の手でガイド線に合わせてケーキを切るには熟練を要し、簡単に等分できない。
【０００７】
さらに、ケーキの中心にケーキをカットする装置を着設するものがある（例えば、非特許文献４参照。）。しかし、バームクーヘンや円環型のケーキは中心に着設できず、ケーキ上にイチゴなどのデコレーションや膨らみがあると、ナイフガイドが接触して使えない。
【先行技術文献】
【特許文献】
【０００８】
【特許文献１】特開２００５−２９６５９６号公報  （第２−３頁、第１−２図）
【特許文献２】実開平７−３５４７号公報  （第２−３頁。第１図）
【特許文献３】登録実用新案３１７３６２５号公報  （第２−４頁、第１図）
【非特許文献】
【０００９】
【非特許文献１】「A型トルテカッター」  ［平成２５年８月１９日検索］  インターネット＜URL：http://www.kitchen-koubou.com/ET129-11.htm＞
【非特許文献２】「CakeCutter」  ［平成２５年８月１９日検索］  インターネット＜URL：https://play.google.com/store/apps/details?id=org.ykm.cakecut&hl=ja＞
【非特許文献３】「CakeCut」  ［平成２５年８月１９日検索］  インターネット＜URL：http://www.kayac.com/service/smartphone/610＞
【非特許文献４】「Klipy Cake Divider」  ［平成２５年８月１９日検索］  インターネット＜URL：      http://news.livedoor.com/article/detail/7609176/＞
【考案の概要】
【考案が解決しようとする課題】
【００１０】
解決しようとする問題点は、切り分けたい大きさを確認し、切る数を決めてから、誰でも簡単にホールケーキなどの食品を等分に切れない点である。
【課題を解決するための手段】
【００１１】
本考案は、複数の正多角形を用いて、正多角形の性質により、食品を切りながら等分に切る数を決められることを可能にしたことを最も主要な特徴とする。
【考案の効果】
【００１２】
本考案は、誰でも簡単に切り分けたい大きさなどの体裁を確認しながら、ホールケーキやキッシュなどの円形、メロンや西瓜などの球形の食品を等分に切ることができる。また、製品に複数の正多角形を表示することにより、製品全体の総量を基に必要な量を計量せずに分けたりすることができる。
【図面の簡単な説明】
【００１３】
【図１】図１は同一外接円に内接する正多角形の１つの頂点を合わせた状態を示した説明図である。
【図２】図２は皿の実施方法を示した正面図である。（実施例１）
【図３】図３は皿の実施方法を示した正面図である。（実施例２）
【図４】図４は皿の実施方法を示した正面図である。（実施例３）
【図５】図５は皿の実施方法を示した正面図である。（実施例４）
【図６】図６は切り分け器具の平面図である。（実施例５）
【図７】図７は切り分け器具の正面図である。（実施例５）
【図８】図８は切り分け器具の側面図である。（実施例５）
【図９】図９は等分シートとしての実施と、直接表示の実施を示した正面図である。（実施例６、実施例７）
【図１０】図１０は等分の席分けテーブルの天板全体を示した正面図である。（実施例８）
【図１１】図１１は等分の席分けテーブルの天板を分解した状態を示した説明図である。（実施例８）
【考案を実施するための形態】
【００１４】
等分に切る目的を、複数の正多角形を組み合わせて実現した。図１は、同一外接円とともに、正五角形と正六角形と正七角形の１つの頂点を合わせた状態を示した説明図である。
【実施例１】
【００１５】
ホールケーキを等分する場合に、偶数の２等分と４等分は難しくない。奇数に等分する場合が難しいので、切る位置を示すことにより、誰でも容易に等分できるようにした。図２は、本考案の１実施例で、外接円の半径が同じ、正五角形と正六角形と正七角形の１つの頂点を合わせた外縁形状により、切り分けたい大きさの等分に切る位置を決められる皿である。ケーキを置く位置がわかりやすくなるように、同心円を複数入れる。また、中心６に凹窩を設け、凹窩に串などを挿した状態で上からケーキを置くと、ケーキの中心が明確になる。
【００１６】
図２の共通頂点１と中心６との間を最初に切る。次に中心６を軸にケーキナイフを回動して、正七角形、正六角形、正五角形の頂点に合わせながら、最初の切り位置から切り分ける１切れの大きさなどの体裁を確認する。等分数を決めた後、中心６と等分数に該当する各頂点の間を切っていく。２等分は１８０度、４等分は９０度で簡単に切れる。３等分は正六角形の頂点を一つ置きに３つ選び、中心から切れば可能である。５等分、６等分、７等分は正五角形、正六角形、正七角形の頂点に合わせて、中心から切れば可能となる。さらに、８等分は４等分をそれぞれ２等分、９等分は３等分をそれぞれ３等分、１０等分は５等分をそれぞれ２等分することで切り分けられる。その結果、１０等分まで容易に切り分けることができる。大きなホールケーキに対応する場合は、皿も大きくして切り分ける数量も増えると考えられるから、正多角形の種類は等分数に合わせて追加変更するとよい。なお、かまぼこ板にしても、外縁形状により正多角形の頂点は隠れないので、同様に切ることができる。
【実施例２】
【００１７】
図３は、実施例１に、正五角形と正六角形と正七角形の線と、その各頂点と中心を結んだ線を加えた皿である。1切れの大きさが、よりわかりやすくなる。等分に切る場合の文字や数字を各頂点近くに記載したり、頂点を色分けしたりして、さらに切る位置をわかりやすくしてもよい。シートやケーキ台の上部として構成することもできる。
【実施例３】
【００１８】
図４は、正五角形と正六角形と正七角形の同一外接円より大きい円形状の皿である。ちらし寿司などの等分の取り分け、料理の人数分の盛り付けの配置も容易になる。まな板にしてもよい。あるいは、大きめのシートにしてテーブル上に置けば、正多角形の頂点に合わせて円卓の席を等間隔に置ける。さらに、正五角形と正六角形と正七角形を記載した部分は、着脱できるようにしてもよい。なお、外縁形状は円形でなく、多角形でもよい。
【実施例４】
【００１９】
図５は、外接円の中心が同じで半径が異なる、正五角形と正六角形と正七角形を記載した皿である。皿の内側に、正七角形、その内側に正六角形、その内側に正五角形を作る。正五角形、正六角形と正七角形の１つの頂点が、一直線上に並ぶように回転角を合わせる。表面には、同心円とともに中心と正多角形の各頂点を結ぶ線を記載する。実施例１と同様に、最初に延長上頂点７と中心との間を切り、大きさなどの体裁を確認しながら切り分けることができる。また、正七角形、正六角形、正五角形を切り抜きにして、それぞれ別々に着脱できる構造にしてもよい。正五角形の頂点と中心を結んだ線、正六角形の頂点と中心を結んだ線を正七角形まで延長しておけば、別々に取り外した状態でも他の等分数に切り分ける位置がわかる。フェルト素材やシリコン素材などを使い、鍋敷きなどの調理器マットにしてもよい。
【実施例５】
【００２０】
図６は、ケーキなどの食品の上に被せて使う、切り分け器具の平面図である。切り分け器具の上面に、外接円の中心と半径が同じ、正五角形と正六角形と正七角形と同一外接円を記載し、各頂点には頂点に該当する切り分け数表示８を記載する。また、同心円と正五角形と正六角形と正七角形の各頂点と中心を結んだ線をつけ加える。なお、中心部に貫通穴を開け、中心確認串９を挿すと、食品の中心に印をつけられる。
【００２１】
図７は、切り分け器具の正面図、図８は、切り分け器具の側面図である。切り分け器具上部１０は透明にして、被せたものが見えるようにする。切り分け器具の側面部１１は、上面に記載した正五角形と正六角形と正七角形の外接円の中心と正多角形の各頂点を結んだ線の延長線上の交点部分に係る部分を開けて作る。これにより、ケーキに被せた状態で真上から見ながら、線の下をケーキナイフで切ることができる。切り分け器具の側面部１１を高く作ると、メロンや西瓜なども被せて切ることができる。
【実施例６】
【００２２】
図９は、円形状の食品の上に乗せることにより、等分数に切ることを補助する等分シートである。等分の切り分け線を記載しただけと異なり、外接円の中心と半径が同じ、正五角形、正六角形、正七角形と中心点と頂点を結ぶ線を記載することで、一見して等分ごとの大きさを判断できる。また、同一外接円を入れることにより、等分シートを円形状の食品の真上に合わせやすくできる。等分シートは、製品と一緒に切れるような薄くて柔らかい素材がよい。例えば、等分シートをオブラートで作成し、アイスクリームの上に着接したり、円形状に成形した砂糖の上に着接したりして使用する。または、等分シートを菓子用凝固剤のアガーで作成し、水羊羹の上に乗せる使い方がある。等分シートの素材には、他にゼラチン、寒天等も考えられるが、溶解温度が低い素材は等分シートを乗せる食品を選ぶ必要がある。なお、等分シートは、食べられないものでもよい。また、正多角形別に記載する線を色分けしてもよい。
【実施例７】
【００２３】
さらに、製品に図９の記載や切り込みを入れて使う。食品では、饅頭やどら焼き、かまぼこなどに使うことができる。固形燃料の場合は、全体の燃焼時間と等分数を基に必要な燃焼時間分を切り分けて使う。全体が１時間の燃焼時間なら、５等分で１２分間、６等分で１０分間の分量を切り分けられる。固形調味料の場合は、全体の分量と等分数を基に、計量せず必要な量を取り分けて使用できる。製品に直接記載する場合は、図９の同一外接円は省略してもよい。
【実施例８】
【００２４】
図１０は、テーブルの天板の平面図である。中心が同じで半径が異なる正方形、正五角形、正六角形、正七角形の１つの頂点を、一直線上に並ぶように回転角を合わせ記載し、位置合わせ線１２も記載する。そして、正方形の外側からその外接円まで、外接円上の５等分の位置と中心を結ぶ線を記載する。同様にして、正五角形の外側からその外接円まで６等分の位置を記載し、正六角形の外側からその外接円まで７等分の位置を記載し、正七角形の外側からその外接円まで８等分の位置を記載する。さらに、各外接円部分で、分離できる構造とする。中心テーブル（４、５人掛け用）１３の外側に、円環状のテーブルを追加することで、大きさを自在に変えることができる。
【００２５】
図１１は、テーブルの天板を分離した状態である。中心テーブル（４、５人掛け用）１３の外側に、円環状の追加テーブル（５、６人掛け用）１４、追加テーブル（６、７人掛け用）１５、追加テーブル（７、８人掛け用）１６を付けることにより、席数を増やせる。会場の大きさや人数に合わせてテーブルの大きさを変えられる上に、天板に正多角形を記載することにより、簡単に席を等間隔に設置できる。ホテルの宴会場などでレイアウトを変更するのに大変便利であり、テーブルの収納スペースも節約できる。テーブルの天板は、伸縮する降りたたみ式の脚の上に設置するとよい。なお、正多角形の組み合わせは、追加変更してもよい。
【産業上の利用可能性】
【００２６】
ケーキやピザ、メロン、西瓜などの食品を等分に切る場合やちらし寿司などを取り分ける場合のほか、円卓の席を等間隔に配置する場合にも利用できる。また、製品に等分数に分けて便利に使える機能を付加できる。
【符号の説明】
【００２７】
１    共通頂点
２    ３等分及び６等分頂点
３    ６等分頂点
４    ５等分頂点
５    ７等分頂点
６    中心
７    延長上頂点
８    頂点に該当する切り分け数表示
９    中心確認串
１０    切り分け器具上部
１１    切り分け器具側面部
１２    位置合わせ線
１３    中心テーブル（４、５人掛け用）
１４    追加テーブル（５、６人掛け用）
１５    追加テーブル（６、７人掛け用）
１６    追加テーブル（７、８人掛け用）
【手続補正３】
【補正対象書類名】図面
【補正対象項目名】図１２
【補正方法】削除
【補正の内容】